(57)【要約】【課題】管理用コンピュータからＬＡＮを介して、ＩＰアドレスの設定や変更を自動的かつ高速に実施することが可能なＮＡＳ（ネットワーク接続ストレージ）を提供する。【解決手段】管理サーバ１のオペレータは、予め設定された固定のＩＰアドレスを有するＩＰアドレス用ＬＡＮインタフェース１２にＬＡＮ２を介して接続し、ウエブブラウザを利用してこのＩＰアドレス用ＬＡＮインタフェース１２のファームエアへアクセスし、設定すべきＩＰアドレスを入力する。入力されたＩＰアドレスは、ＩＰアドレス用ＬＡＮインタフェース１２によって制御用ＬＡＮインタフェース１１に設定される。一方、ＩＰアドレス設定・更新検出部１３は、制御用ＬＡＮインタフェース１１に設定されたＩＰアドレスを利用可能な状態に活性化する。以後、設定されたＩＰアドレスを用いて、ユーザコンピュータ３等からＮＡＳ１０へのアクセスが可能となる。【選択図】図１
2010176616.tif 000002
【特許請求の範囲】
【請求項１】
管理用コンピュータから通信網を介してＩＰアドレスが設定され、該ＩＰアドレスを使用して該通信網を介してユーザコンピュータからアクセスされるネットワーク接続ストレージであって、
前記ＩＰアドレスを用いて前記通信網を介して前記ユーザコンピュータから接続され、該ユーザコンピュータとの間でユーザデータの送受信を行うデータ制御用インタフェース手段と、
前記ユーザデータを保存する記憶手段と、
予め割り当てられたデフォルトのアドレスを用いて前記通信網を介して前記管理用コンピュータから接続され、該管理用コンピュータから入力される前記ＩＰアドレスを前記データ制御用インタフェース手段に設定するＩＰアドレス設定用インタフェース手段と、
前記ＩＰアドレス設定用インタフェース手段が前記管理用コンピュータから受け取った前記ＩＰアドレスを前記データ制御用インタフェース手段に設定したことを検出し、該データ制御用インタフェース手段に設定された前記ＩＰアドレスを使用可能な状態に活性化するＩＰアドレス活性化手段と、
を備えることを特徴とするネットワーク接続ストレージ。
【請求項２】
前記通信網は、ローカルエリア・ネットワークであることを特徴とする請求項１に記載のネットワーク接続ストレージ。
【請求項３】
前記管理用コンピュータは、ウエブブラウザを使用して前記ＩＰアドレスを前記ＩＰアドレス設定用インタフェース手段に入力することを特徴とする請求項１または２に記載のネットワーク接続ストレージ。
【請求項４】
前記記憶手段は、単数または複数の磁気ディスク装置であることを特徴とする請求項１乃至３のいずれか１項に記載のネットワーク接続ストレージ。
【請求項５】
管理用コンピュータから通信網を介してＩＰアドレスが設定され、該ＩＰアドレスを使用して該通信網を介してユーザコンピュータからアクセスされるネットワーク接続ストレージにおけるＩＰアドレス設定方法であって、
予め割り当てられたデフォルトのアドレスを用いて前記通信網を介して前記管理用コンピュータから接続され、該管理用コンピュータから入力される前記ＩＰアドレスを前記ユーザコンピュータとの接続用のアドレスとして設定するＩＰアドレス設定処理と、
前記設定されたＩＰアドレスを使用可能な状態に活性化するＩＰアドレス活性化処理と、
を順次実行することを特徴とするＩＰアドレス設定方法。
【請求項６】
前記通信網は、ローカルエリア・ネットワークであることを特徴とする請求項５に記載のＩＰアドレス設定方法。
【請求項７】
前記管理用コンピュータは、ウエブブラウザを使用して前記ＩＰアドレスを前記ネットワーク接続ストレージに入力することを特徴とする請求項５または６に記載のＩＰアドレス設定方法。
【発明の詳細な説明】
【技術分野】
【０００１】
本発明は、ＬＡＮ(Local Area Network)等の通信網を介して接続される補助記憶装置であるネットワーク接続ストレージ(Network Attached Strage：以下、「ＮＡＳ」という）、特にそのネットワーク上での位置を特定するためのＩＰ(Internet Protocol)アドレスの設定に関する。
【背景技術】
【０００２】
ＮＡＳは、ネットワークに直接接続して使用するファイルサーバ専用機であり、ハードディスク、ネットワークインタフェース、ＯＳ(Operating System)、管理用ユーティリティなどを一体化した単機能サーバである。ＮＡＳは、ＬＡＮを介して管理用のコンピュータから設定や制御が行われるようになっているが、ネットワークに接続された他のコンピュータからは、通常のファイルサーバと同様、共有ディスクとして使用することができる。
【０００３】
ＮＡＳにはファイルシステムやネットワーク通信機能が内蔵されているため、システムへの導入や追加が容易で、異なる種類の複数のサーバからのデータの共有も楽に行うことができる。高級機になると、複数のディスクを備え、ＲＡＩＤ(Redundant Array of Inexpensive Disks)機能やホットスワップ機能を持ったものもある。
【０００４】
ＮＡＳは、ネットワーク上での位置を特定するためのＩＰアドレスを有している。ＩＰアドレスは、ＮＡＳに限らず、インターネットに接続するパーソナル・コンピュータには必須のアドレスであり、ＩＳＰ(Internet Service Provider：インターネット接続業者)から割り当てられるものである。
【０００５】
ＩＳＰから割り当てられたＩＰアドレスをＮＡＳやパーソナル・コンピュータ等に設定する方法には、ＤＨＣＰ(Dynamic Host Configuration Protocol)による自動割り当て方法と、手動での固定ＩＰアドレス設定方法がある（http://www.the-hikaku.com/file/kosei2.html 「ＮＡＳのＩＰアドレスの設定」参照）。
【０００６】
ＤＨＣＰによる自動割り当て方法は、パーソナル・コンピュータ等の起動時にブロードバンドルータから自動でＩＰアドレスを貰う方法で、貰ったＩＰアドレスをそのまま設定するように構成されている。しかし、ＤＨＣＰで割り当てられたＩＰアドレスは、システムによって定められた一定の日時が経過すると、別のＩＰアドレスに変更されることがある。
【０００７】
ＮＡＳは、多数のパーソナル・コンピュータやネットワーク機器からアクセスされるように構成されている。従って、ＩＰアドレスが自動的に変更されると、これらのパーソナル・コンピュータやネットワーク機器から接続できなくなるおそれがあり問題である。このため、ＮＡＳのＩＰアドレス設定には、通常、手動での固定ＩＰアドレス設定方法が用いられる。
【０００８】
ＮＡＳのＩＰアドレスを手動で設定する場合、このＮＡＳの設定や制御を行う管理用コンピュータ側で、インターネット・エクスプローラ等のウエブブラウザを起動し、この管理用コンピュータに設定されているものと同じＩＰアドレスをＮＡＳに設定する。更に、ＮＡＳに設定したＩＰアドレスを利用可能な状態に活性化させるために、このＮＡＳを手動によって再起動するようにしている。
【０００９】
下記特許文献１には、ＮＡＳクライアントや管理コンピュータ等の上位ホストから、ネットワークを経由してＮＡＳシステムの設定情報を指示し、指示された設定情報を受け取ったＮＡＳシステムでは、その設定情報をＲＡＩＤ構成情報領域に保存するように構成されたＮＡＳディスクアレイ装置が記載されている。これにより、ユーザの操作ミスやソフトバグ等の不正アクセスが防止でき、設定情報の管理も容易なＮＡＳディスクアレイ装置が提供できるとされている。
【００１０】
特許文献２には、個人が管理するコンピュータをストレージ装置とし、インターネットを経由して端末コンピュータからデータをこのストレージ装置に記憶することができるウェブストレージシステムが記載されている。このシステムでは、個人が管理するコンピュータに接続された記憶装置をウェブストレージとして、端末コンピュータに開放するもので、ＩＤ発行手段とＩＰアドレス送出手段を備えた管理サーバを設けている。
【００１１】
管理サーバは、個人が管理するコンピュータと端末コンピュータのＩＤ番号を発行し、個人が管理するコンピュータは、ＩＤ番号に基づいて取得したＩＰアドレスを管理サーバに送出し、端末コンピュータは、個人が管理するコンピュータの記憶装置をＩＰアドレスに基づいてウェブストレージとして利用するようになっている。
【００１２】
特許文献３には、ネットワークと記憶部との間で、データを通信するためのネットワークストレージシステムが記載されている。
【先行技術文献】
【特許文献】
【００１３】
【特許文献１】特開２００５−２６７５３０号公報
【特許文献２】特開２００５−３５２５３０号公報
【特許文献３】特開２００７−３１７１８１号公報
【発明の概要】
【発明が解決しようとする課題】
【００１４】
しかしながら、ＬＡＮを介して管理対象のＮＡＳの設定や制御を行う管理用コンピュータから、管理対象のＮＡＳのＩＰアドレスを手動で設定する場合、設定後に手作業によってＮＡＳを再起動し、設定したＩＰアドレスをシステムで使用可能な状態にするための活性化を行う必要がある。このため、ＩＰアドレスの設定後にＮＡＳを再起動する操作を忘れてしまうと、管理用コンピュータ等とＮＡＳとの間の通信ができない状態となり、問題解決までに長時間を要してしまうおそれがあった。
【００１５】
また、ＩＰアドレスの活性化のために、ＮＡＳを再起動する必要があり、使用可能な状態になるまでに、例えば数分程度の時間を要するという課題があった。なお、前記特許文献１〜３には、手動によるＩＰアドレスの設定に関する具体的な記載はない。
【００１６】
本発明は上記課題に鑑みてなされたものであり、ＬＡＮを介して管理対象のＮＡＳの設定や制御を行う管理用コンピュータから、管理対象のＮＡＳのＩＰアドレスを手動で設定するときに、ＮＡＳを再起動することなくＩＰアドレスの活性化や変更を可能とすることを目的とする。
【課題を解決するための手段】
【００１７】
上記目的を達成するために、本発明の第１の観点に係るＮＡＳは、管理用コンピュータから通信網を介してＩＰアドレスが設定され、該ＩＰアドレスを使用して該通信網を介してユーザコンピュータからアクセスされるＮＡＳであって、前記ＩＰアドレスを用いて前記通信網を介して前記ユーザコンピュータから接続され、該ユーザコンピュータとの間でユーザデータの送受信を行うデータ制御用インタフェース手段と、前記ユーザデータを保存する記憶手段と、予め割り当てられたデフォルトのアドレスを用いて前記通信網を介して前記管理用コンピュータから接続され、該管理用コンピュータから入力される前記ＩＰアドレスを前記データ制御用インタフェース手段に設定するＩＰアドレス設定用インタフェース手段と、前記ＩＰアドレス設定用インタフェース手段が前記管理用コンピュータから受け取った前記ＩＰアドレスを前記データ制御用インタフェース手段に設定したことを検出し、該データ制御用インタフェース手段に設定された前記ＩＰアドレスを使用可能な状態に活性化するＩＰアドレス活性化手段と、を備えることを特徴とする。
【００１８】
本発明の第２の観点に係るＩＰアドレス設定方法は、管理用コンピュータから通信網を介してＩＰアドレスが設定され、該ＩＰアドレスを使用して該通信網を介してユーザコンピュータからアクセスされるＮＡＳにおけるＩＰアドレス設定方法であって、予め割り当てられたデフォルトのアドレスを用いて前記通信網を介して前記管理用コンピュータから接続され、該管理用コンピュータから入力される前記ＩＰアドレスを前記ユーザコンピュータとの接続用のアドレスとして設定するＩＰアドレス設定処理と、前記設定されたＩＰアドレスを使用可能な状態に活性化するＩＰアドレス活性化処理と、を順次実行することを特徴とする。
【発明の効果】
【００１９】
本発明のＮＡＳは、予め割り当てられたデフォルトのＩＰアドレスを用いてＬＡＮ等の通信網を介して管理用コンピュータから接続され、この管理用コンピュータから設定すべきＩＰアドレスを受け取って、データ制御用インタフェース手段に設定するＩＰアドレス設定専用のＩＰアドレス設定用インタフェース手段と、このデータ制御用インタフェース手段に設定されたＩＰアドレスを、使用可能な状態に活性化するＩＰアドレス活性化手段を有している。
【００２０】
また、本発明のＩＰアドレス設定方法では、デフォルトのアドレスを用いて管理用コンピュータから接続され、この管理用コンピュータから入力されるＩＰアドレスをユーザコンピュータとの接続用のアドレスとして設定するＩＰアドレス設定処理と、設定されたＩＰアドレスを使用可能な状態に活性化するＩＰアドレス活性化処理を順次実行するようにしている。
【００２１】
これにより、管理用コンピュータから、管理対象のＮＡＳのＩＰアドレスを手動で設定するときに、ＮＡＳを再起動することなくＩＰアドレスの活性化や変更が可能になるという効果がある。
【図面の簡単な説明】
【００２２】
【図１】本発明の実施形態を示すＮＡＳの構成図である。
【発明を実施するための形態】
【００２３】
以下、本発明の実施の形態について図面を参照して詳細に説明する。
図１に示すように、本発明の実施形態のＮＡＳ１０は、ＬＡＮ２を介して管理サーバ１に接続されると共に複数のユーザコンピュータ３に接続され、これらのユーザコンピュータ３からＬＡＮ２を経由して与えられるユーザデータを記憶する補助記憶装置である。
【００２４】
管理サーバ１は、ＮＡＳ１０に対して必要な情報を設定するためのサーバであり、このＮＡＳ１０を制御するためのソフトウエアがインストールされたコンピュータである。
一方、ユーザコンピュータ３は、各ユーザがそれぞれの処理を行うためのコンピュータであり、ＬＡＮ２を介してＮＡＳ１０にアクセスして、このＮＡＳ１０にデータを書き込んだり、保存されているデータを読み出したりすることができるようになっている。
【００２５】
ＮＡＳ１０は、データ制御用インタフェース手段である制御用ＬＡＮインタフェース１１、ＩＰアドレス設定用インタフェース手段であるＩＰアドレス用ＬＡＮインタフェース１２、ＩＰアドレス活性化手段であるＩＰアドレス設定・更新検出部１３、及び記憶手段であるディスク制御部１４と複数の磁気ディスク装置（ＨＤＤ）１５を備えている。
【００２６】
制御用ＬＡＮインタフェース１１は、ＬＡＮ２を介して管理サーバ１やユーザコンピュータ３に接続して、管理サーバ１の制御に従って制御用のソフトウエアのインストールやアップデートを行ったり、ユーザコンピュータ３との間で保存するユーザデータの送受信等を行ったりするための入出力制御を実行するものである。なお、この制御用ＬＡＮインタフェース１１には、後述するように、ユーザ環境に応じて構築されたネットワークにおけるＩＰアドレスが設定されるようになっている。
【００２７】
ＩＰアドレス用ＬＡＮインタフェース１２は、ＬＡＮ２を介して管理サーバ１から接続され、前述の制御用ＬＡＮインタフェース１１で用いるＩＰアドレスを設定するためのファームウエアを備えたインタフェースである。なお、ＩＰアドレス用ＬＡＮインタフェース１２には、デフォルト（標準値）として予め固定のＩＰアドレスが割り当てられている。
【００２８】
ＩＰアドレス設定・更新検出部１３は、ＩＰアドレス用ＬＡＮインタフェース１２を介して、制御用ＬＡＮインタフェース１１に対するＩＰアドレスの設定や更新が行われたことを検出し、その設定されたＩＰアドレスを制御用ＬＡＮインタフェース１１で使用可能な状態にするための活性化を行うものである。
【００２９】
ディスク制御部１４は、ユーザコンピュータ３等から与えられるユーザデータを、磁気ディスク装置１５に保存すると共に、ユーザデータの読み出し要求に応じて磁気ディスク装置１５からデータを読み出して、ユーザコンピュータ３等へ転送するための制御を行うものである。例えば、ディスク制御部１４は、搭載されたＲＡＩＤ機能に基づいて保存対象のユーザデータを複数の磁気ディスク装置１５に分散して書き込み、読み出し要求に応じて元のユーザデータを再現して出力するようになっている。
【００３０】
磁気ディスク装置１５は、ユーザコンピュータ３等から与えられるユーザデータを、共有ファイル等として保存するための記憶媒体である。
【００３１】
次に、図１のＮＡＳ１０におけるＩＰアドレスの設定動作について説明する。
管理サーバ１のオペレータは、ＮＡＳ１０のＩＰアドレスを設定しようとする場合、予め標準値としてＩＰアドレス用ＬＡＮインタフェース１２に割り当てられている固定のＩＰアドレスを使用して、インターネット・エクスプローラ等のウエブブラウザを起動する。ウエブブラウザの起動により、ＬＡＮ２を介して管理サーバ１とＮＡＳ１０との間の通信が可能になると、ＩＰアドレス用ＬＡＮインタフェース１２のファームウエアから管理サーバ１側にＩＰアドレス設定用の画面情報が送信される。
【００３２】
これにより、管理サーバ１のオペレータは、ＮＡＳ１０との間の通信が可能になったことを認識し、制御用ＬＡＮインタフェース１１に設定または更新すべきＩＰアドレスを、ＩＰアドレス設定用の画面上で入力する。このＩＰアドレスは、ＮＡＳ１０が管理サーバ１やユーザコンピュータ３等との間でデータの送受信に使用するためのＩＰアドレスであり、例えば、管理サーバ１がＩＳＰから割り当てられたＩＰアドレス等を使用する。
【００３３】
管理サーバ１から、ウエブブラウザを利用して設定または更新すべきＩＰアドレスが入力されると、ＩＰアドレス用ＬＡＮインタフェース１２は、入力されたＩＰアドレスを制御用ＬＡＮインタフェース１１に設定する。
【００３４】
ＩＰアドレス設定・更新検出部１３は、ＩＰアドレス用ＬＡＮインタフェース１２に入力されたＩＰアドレスが、制御用ＬＡＮインタフェース１１に設定されたことを検出すると、そのＩＰアドレスが利用可能な状態となるように活性化するための処理を実行する。
【００３５】
これにより、ＮＡＳ１０は、管理サーバ１から設定されたＩＰアドレスを使用して、この管理サーバ１やユーザコンピュータ３等から、ＬＡＮ２を介してアクセスができるようになる。
【００３６】
以上詳細に説明したように、本実施形態のＮＡＳ１０は、管理サーバ１からＬＡＮ２を介してＩＰアドレスを受信して制御用ＬＡＮインタフェース１１に設定するＩＰアドレスＬＡＮインタフェース１２と、この制御用ＬＡＮインタフェース１１に設定されたＩＰアドレスを活性化するＩＰアドレス設定・更新検出部１３を有している。これにより、ＩＰアドレスの設定や変更時に、入力されたＩＰアドレスを人手を介さずに活性化することができるので、再起動の操作を失念することによる通信不能といった問題が発生することがない。
【００３７】
更に、ＩＰアドレスの設定や変更時に、ＮＡＳ１０全体の再起動をする必要がないので、ＩＰアドレスの設定や変更を短時間で実行することができるという利点がある。
【００３８】
なお、本発明は、上記実施形態に限定されるものではなく、下記のような種々の変形が可能である。
（ａ）  ＮＡＳ１０と管理サーバ１やユーザコンピュータ３との接続は、ＬＡＮ２に限らず、インターネットを介して接続することも可能である。
（ｂ）  ＮＡＳ１０はＲＡＩＤ機能を想定したもので、ユーザデータの記憶媒体として複数の磁気ディスク装置１５を備えているが、磁気ディスク装置１５は１つでも良いし、磁気ディスク装置１５に代えて、フラッシュメモリ等の半導体メモリや光ディスク等を用いることもできる。
（ｃ）  管理サーバ１からＮＡＳ１０に対するＩＰアドレスの設定には、必ずしもウエブブラウザを利用する必要はない。
【符号の説明】
【００３９】
１    管理サーバ
２    ＬＡＮ
３    ユーザコンピュータ
１０    ＮＡＳ（ネットワーク接続ストレージ）
１１    制御用ＬＡＮインタフェース
１２    ＩＰアドレス用ＬＡＮインタフェース
１３    ＩＰアドレス設定・更新検出部
１４    ディスク制御部
１５    磁気ディスク装置（ＨＤＤ）
【図１】
2010176616.tif 000003